(57)【特許請求の範囲】
【請求項１】
二輪車の基体フレームにケーブルを沿わせるようにして固定するケーブル固定具において、
前記基体フレームに固定され、前記ケーブルが挿通する挿通孔と、
前記挿通孔に連なり前記ケーブルを外部から前記挿通孔内に引き入れるためのスリットとを有する固定具本体と、
前記固定具本体に着脱可能に装着される閉止体と、を有し、
前記閉止体を前記固定具本体の前記挿通孔内に嵌入することにより、前記スリットを閉止するとともに前記閉止体の側面で前記挿通孔内に収納されている前記ケーブルを固定するようにし、
前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定するようにしたことを特徴とするケーブル固定具。
【請求項２】
前記固定具本体及び前記閉止体が、それぞれ合成樹脂から成ることを特徴とする請求項１記載のケーブル固定具。
【請求項３】
前記基体フレームに固着された基板に、前記固定具本体が着脱可能に装着されていることを特徴とする請求項１記載のケーブル固定具。
【請求項４】
前記基体フレームの外周面の形状は、円弧状に湾曲しており、
前記固定具本体は、中央部に前記挿通孔を有する筒状であって、且つ、前記基体フレームの外周面に沿うように全体が円弧状に湾曲した形状とされていると共に、前記挿通孔は断面が横長の円弧状であり、前記挿通孔内に複数の前記ケーブルが横並び状態で収納固定されることを特徴とする請求項１又は３記載のケーブル固定具。
【請求項５】
前記閉止体が、前記スリットに嵌まり込むガイド部を有していることを特徴とする請求項１又は３記載のケーブル固定具。
【請求項６】
前記閉止体が、前記ガイド部に連なり前記固定具本体の外部に露出した操作部を有することを特徴とする請求項５記載のケーブル固定具。
【請求項７】
前記挿通孔の内壁には、奥行き方向に延びる案内溝が形成されており、前記閉止体には前記案内溝に嵌まり込む凸部が形成されていることを特徴とする請求項１又は３記載のケーブル固定具。
【請求項８】
前記挿通孔の上部内壁又は下部内壁の少なくとも何れか一方には、前記ケーブルを固定する係止突起が形成されていることを特徴とする請求項１又は３記載のケーブル固定具。
【請求項９】
前記基板には奥行き方向に延びる係合爪が形成されており、前記固定具本体の外側側面には奥行き方向に延び前記係合爪に係合可能な係合溝が形成され、前記係合溝の奥行き方向両端のうち一端は開口し他端は閉塞されており、前記固定具本体が前記基板に装着された状態では係合溝の前記閉塞部が前記係合爪の一端面と当接して、前記固定具本体の装着状態が保持されていることを特徴とする請求項３記載のケーブル固定具。
【請求項１０】
前記固定具本体の奥行き方向両端のうち前記閉止体の挿入方向側の先端部には、前記閉止体の先端が当接して前記閉止体の抜け落ちを防止する抜け落ち防止用ストッパーが立設されていることを特徴とする請求項１、３又は９の何れかに記載のケーブル固定具。
【請求項１１】
自転車の基体フレームに固定され、ケーブルが挿通する挿通孔と、
前記挿通孔に連なり前記ケーブルを外部から前記挿通孔内に引き入れるためのスリットとを有する固定具本体と、
前記固定具本体に着脱可能に装着される閉止体と、を有し、
前記閉止体を前記固定具本体の前記挿通孔内に嵌入することにより、前記スリットを閉止するとともに前記閉止体の側面で前記挿通孔内に収納されている前記ケーブルを固定するようにし、
前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定するようにしたことを特徴とする自転車。
【請求項１２】
二輪車の基体フレームにケーブルを沿わせるようにして固定するケーブル固定方法において、
前記ケーブルが挿通する挿通孔と前記挿通孔に連なり前記ケーブルを外部から前記挿通孔内に引き入れるためのスリットとを有する固定具本体と、前記固定具本体の前記挿通孔内に嵌入される閉止体とを準備し、
前記固定具本体を前記基体フレームに固定し、次いで、前記ケーブルを前記スリットを介して前記挿通孔内に引き入れて収納し、次いで、前記閉止体を前記固定具本体の前記挿通孔内に嵌入することにより、前記スリットを閉止するとともに前記閉止体の側面で前記挿通孔内に収納されている前記ケーブルを固定し、
前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定することを特徴とするケーブル固定方法。
【発明の詳細な説明】
【０００１】
【発明の属する技術分野】
本発明は、二輪車の基体フレームにケーブルを沿わせるように固定するケーブル固定具、ケーブル固定具を備えた自転車及びケーブル固定具を用いた固定方法に関する。
【０００２】
【従来の技術】
自転車には、ブレーキや変速機を操作するためのワイヤが設けられており、運転に支障をきたさないように、これらのワイヤをフレームに固定しておくのが普通である。
【０００３】
また、電動自転車では、電動モータと該電動モータを駆動する電池、電動モータを起動するスイッチをリード線で接続しており、ワイヤに加えて、これらのリード線もやはりフレームに固定しておく必要がある。
【０００４】
従来、ワイヤやリード線（以下、ケーブルと総称する）を固定するためには、図１２に示す固定具５０を車体フレーム５１に予め固着しておき、この固定具５０の挿通孔５２にケーブル５３を人の手で順次挿通して、ケーブルをフレーム５１に固定していた。
【０００５】
【発明が解決しようとする課題】
上記従来例では、ケーブルを固定具の挿通孔に順次挿通させていかなければならず、作業性が悪い。また、ケーブルを挿通孔に挿通させるだけであり、ケーブルを固定する機能を有していなかった。
【０００６】
本発明は、上記課題を解決すべく、ケーブルの固定作業を容易にし、且つケーブルを強固に固定することができるケーブル固定具、ケーブル固定具を備えた自転車及びケーブル固定具を用いた固定方法を提供することを目的とする。
【０００７】
【課題を解決するための手段】
上記目的を達成するため本発明は、二輪車の基体フレームにケーブルを沿わせるようにして固定するケーブル固定具において、前記基体フレームに固定され、前記ケーブルが挿通する挿通孔と、前記挿通孔に連なり前記ケーブルを外部から前記挿通孔内に引き入れるためのスリットとを有する固定具本体と、前記固定具本体に着脱可能に装着される閉止体と、を有し、前記閉止体を前記固定具本体の前記挿通孔内に嵌入することにより、前記スリットを閉止するとともに前記閉止体の側面で前記挿通孔内に収納されている前記ケーブルを固定するようにし、前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定するようにしたことを特徴とする。
【０００８】
上記構成により、ケーブルをスリットを介して挿通孔内に引き入れることができる。これにより、ケーブルを仮固定することが可能となる。そして、このような仮固定状態で、閉止体を挿通孔内に嵌入すると、閉止体の側面でケーブルが固定されることになる。このように、本発明によれば、従来例のようにケーブルを挿通孔に順次挿通する必要がなく、固定作業が極めて容易となる。ここで、「固定」とは、閉止体の側面と挿通孔側部内壁との間でケーブルを強固に固定する場合と、挿通孔内でケーブルが隙間を保持して緩やかに挿通した状態で固定されている場合をも含む。このように挿通孔にケーブルを緩やかに挿通した状態であっても、ケーブルを基体フレームに固定する意義は十分に果たされている。また、「二輪車」とは、電動自転車、電動でない自転車、及びバイクを総称する用語を意味する。
【０００９】
ここで、固定具本体及び閉止体は、それぞれ合成樹脂から成る場合もある。
【００１０】
また、基体フレームに固着される基板に、固定具本体が着脱可能に装着するように構成してもよい。このような構成の場合は、収納するケーブル数の異なる固定具本体を複数種準備しておけば、ケーブル数の変更等に対しても対処することが可能となる。
【００１１】
また、前記基体フレームの外周面の形状は、円弧状に湾曲しており、前記固定具本体は、中央部に前記挿通孔を有する筒状であって、且つ、前記基体フレームの外周面に沿うように全体が円弧状に湾曲した形状とされていると共に、前記挿通孔は断面が横長の円弧状であり、前記挿通孔内に複数の前記ケーブルが横並び状態で収納固定するようにしてもよい。
【００１２】
また、閉止体がスリットに嵌まり込むガイド部を有していてもよく、ガイド部に連なり固定具本体の外部に露出した操作部を有していてもよい。前者の構成であれば、閉止体を固定具本体に装着する際、ガイド部がスリットに案内されるため、閉止体の押し込み操作の操作性が向上する。後者の構成であれば、操作部を把持して閉止体を固定具本体に装着することができるため、操作性が更に向上する。
【００１３】
また、挿通孔の内壁には、奥行き方向に延びる案内溝を形成し、閉止体には案内溝に嵌まり込む凸部を形成するようにしてもよい。このような構成でれば、閉止体の挿入操作を円滑に行うことが可能となる。
【００１４】
また、挿通孔の上部内壁又は下部内壁の少なくとも何れか一方には、ケーブルを固定する係止突起を形成するようにしてもよい。このような構成であれば、ケーブルの仮固定状態での固定力が向上する。また、ケーブルが係止突起によりロックされる際のロック感が得られるため、ケーブルの仮固定状態を明確に把握することが可能となる。
【００１５】
また、固定具本体に形成される係合溝の一端を閉塞するのが好ましく、このようにすれば、固定具本体が基板から抜け落ちることが防止される。
【００１６】
また、閉止体が固定具本体から抜け落ちるのを防止するため、固定具本体に閉止体の抜け落ち防止用ストッパーを設けるのが好ましい。
【００１７】
また、本発明は、自転車の基体フレームに固定され、ケーブルが挿通する挿通孔と、前記挿通孔に連なり前記ケーブルを外部から前記挿通孔内に引き入れるためのスリットとを有する固定具本体と、前記固定具本体に着脱可能に装着される閉止体と、を有し、前記閉止体を前記固定具本体の前記挿通孔内に嵌入することにより、前記スリットを閉止するとともに前記閉止体の側面で前記挿通孔内に収納されている前記ケーブルを固定するようにし、前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定するようにしたことを特徴とする自転車である。
また、本発明は、二輪車の基体フレームにケーブルを沿わせるようにして固定するケーブル固定方法において、前記ケーブルが挿通する挿通孔と前記挿通孔に連なり前記ケーブルを外部から前記挿通孔内に引き入れるためのスリットとを有する固定具本体と、前記固定具本体の前記挿通孔内に嵌入される閉止体とを準備し、前記固定具本体を前記基体フレームに固定し、次いで、前記ケーブルを前記スリットを介して前記挿通孔内に引き入れて収納し、次いで、前記閉止体を前記固定具本体の前記挿通孔内に嵌入することにより、前記スリットを閉止するとともに前記閉止体の側面で前記挿通孔内に収納されている前記ケーブルを固定するようにし、前記閉止体を前記固定具本体の前記挿通孔内に嵌入することにより、前記閉止体の側面で前記挿通孔内に収納されている前記ケーブルを前記挿通孔側部内壁側に押圧して前記ケーブルを固定することを特徴とする。このような方法によれば、極めて容易にケーブルを固定することが可能となる。
【００１８】
【発明の実施の形態】
以下、本発明の実施の形態について図面を参照して説明する。本実施の形態によって本発明が限定されない。
【００１９】
（実施の形態１）
図１は本発明に係るケーブル固定具を備えた電動自転車の簡略化した構造図である。車体のメインパイプ１の下面には、その軸方向に間隔をあけて複数（本実施の形態では３つ）のケーブル固定具２が配設されており、このケーブル固定具２によって複数（本実施の形態では４つ）のケーブル３がメインパイプ１に固定されている。ここで、「ケーブル」とは、ワイヤ及びリード線を総称する用語を意味するものとする。ワイヤはブレーキや変速機を操作するためのものであり、リード線は例えばパワーユニット内のコントローラと電池とを接続するためのものである。
【００２０】
図２は図１の矢符Ａの方向から見たメインパイプ１の平面図であり、図３はケーブル固定具２の分解斜視図であり、図４は図２のＸ−Ｘ矢視断面図であり、図５はメインパイプ１の下端側から見たケーブル固定具２の正面図であり、図６は図５のＹ−Ｙ矢視断面図であり、図７はメインパイプ１の上端側から見たケーブル固定具２の背面図である。なお、図３、図４、図５及び図７においては、図解の容易化を図るため図１とは上下を逆にした状態で描いている。これらの図面を参照して、ケーブル固定具２の具体的な構造を以下に説明する。ケーブル固定具２は、メインパイプ１に溶接等により固定された金属製の基板５と、基板５に着脱可能に装着される合成樹脂製の固定具本体６と、固定具本体６に着脱可能に装着される合成樹脂製の閉止体７とを有する。基板５は断面が円弧状の基部５ａを有し、この基部５ａの両側部は内方側に湾曲して係合部５ｂ，５ｃを構成している。この係合部５ｂ，５ｃは後述するように固定具本体６の係合溝６ｇ，６ｈに係合可能である。
【００２１】
固定具本体６は、大略的には横長の偏平な角筒状であって、且つ、メインパイプ１の外周面に沿うように全体が湾曲した形状となっている。この固定具本体６は、円弧状の下部６ａと、円弧状の上部６ｂと、側部６ｃ，６ｄとから構成される。円弧状下部６ａと円弧状上部６ｂとは、同心状である。これら下部６ａと上部６ｂと側部６ｃ，６ｄとにより規定される空間は、ケーブル挿通孔６ｅを構成する。ケーブル挿通孔６ｅは、図４にも明確に示すように断面が横長の円弧状である。このケーブル挿通孔６ｅには、４本のケーブル３（具体的には２本のワイヤと、２本のリード線）が収納固定される。また、上部６ｂの幅方向中央部付近には、直線状のスリット６ｆが形成されている。このスリット６ｆの間隔は、ケーブル３の外径より若干大きく設定されている。従って、ケーブル３をスリット６ｆを介してケーブル挿通孔６ｅ内に引き入れることができる。即ち、このスリット６ｆはケーブル取入れ口としての機能を果たす。
【００２２】
また、側部６ｃ，６ｄには、固定具本体６の奥行き方向（図４の紙面に垂直方向）に延びる係合溝６ｇ，６ｈが形成されており、この係合溝６ｇ，６ｈに基板の係合部５ｂ，５ｃが係合可能である。これにより、基板５に対して、固定具本体６を挿入方向１０（メインパイプ１の上端から下端に向かう方向）に挿入すれば、固定具本体６を基板５に装着できる。
【００２３】
こうして、固定具本体６は、基板５に着脱可能に装着することが可能となっている。
【００２４】
なお、係合溝６ｇ，６ｈの挿入方向１０後端側（図３の背面側）の端部は、閉塞されている（図６及び図７参照）。これにより、固定具本体６が基板５に装着された状態を安定して維持することができ、固定具本体６が経時変化で塑性変形しても基板５から抜け落ちることはない。なぜなら、固定具本体６が基板５から自然に抜け落ちるのは、固定具本体６が基板５に沿って斜め下方にずれ落ちていくことを意味するが、上記構成のように係合溝６ｇ，６ｈの一端部が閉塞されていると、固定具本体６がそれ以上斜め下方にずれ落ちることはないからである。また、下部６ａの挿入方向１０先端側（図３の前面側）の端部には、閉止体７の抜け落ち防止用のストッパー６ｉが立設されている。
【００２５】
閉止体７は、固定具本体の上部６ｂの上面を覆う湾曲した平板状の操作部７ａと、操作部７ａに連なり前記スリット６ｆに嵌まり込むガイド部７ｂと、ガイド部７ｂに連なりスリット６ｆを閉止する閉止部７ｃとから構成されている。操作部７ａは固定具本体６の外側に露出するため、閉止体７を固定具本体６に装着する際に、この操作部７ａを手で把持すれば閉止体７の挿入操作が容易となる。また、閉止部７ｃは大略的には方形体状であり、その奥行き長さは固定具本体６の奥行き長さとほぼ等しい。従って、閉止部７ｃにより、スリット６ｆをほぼ全長に亘って閉止することができる。また、閉止部７ｃの縦長Ｌ１（図３及び図５参照）はケーブル挿通孔６ｅの縦長Ｍ１（図３及び図５参照）とほぼ等しく設定されている。これにより、閉止部７ｃがケーブル挿通孔６ｅにぴったりと嵌り込み、スリット６ｆを完全に閉止した状態とすることができる。
【００２６】
更に、閉止部７ｃは、スリット６ｆの閉止機能の他に、既に仮固定されているケーブル３を閉止部７ｃの側面で押圧して図４の左右方向に押し込む機能をも有している。これにより、ケーブルが一層強固に固定され得ることになる。なお、固定具本体６に閉止体７を装着するに際しては、ガイド部７ｂをスリット６ｆに沿って挿入方向１０に押し込めばよい。こうして、閉止体７は、固定具本体６に着脱可能に装着することが可能となっている。
【００２７】
なお、上記したように固定具本体６にはストッパー６ｉが設けられているため、閉止体７が固定具本体６に装着された状態を安定して維持することができ、閉止体７や固定具本体６が経時変化で塑性変形しても閉止体７は固定具本体６から抜け落ちることはない。
【００２８】
次に、上記構成のケーブル固定具２を用いてケーブル３を固定する方法について説明する。先ず、ケーブル固定操作に先立って、メインパイプ１の下面の所定位置に、基板５を溶接により予め固着しておく。次いで、固定具本体６を基板５に装着する。具体的には、固定具本体６の係合溝６ｇ，６ｈを基板２の係合部５ｂ，５ｃに係合させ、固定具本体６を挿入方向１０にスライドさせる。
【００２９】
次いで、４本のケーブル３（具体的には２本のワイヤと、２本のリード線）を固定具本体６に収納する。具体的に説明すると、ケーブル３のうちの何れか１本のケーブルをスリット６ｆを介してケーブル挿通孔６ｅ内に取り入れる。他のケーブルも同様に１本づつスリット６ｆを介してケーブル挿通孔６ｅ内に取り入れる。これにより、少なくともケーブル３は固定具本体６に収納された状態にあり、仮固定された状態となる。このように、本発明に係るケーブル固定具２によれば、ケーブル３を仮固定状態とすることができるため、固定作業が容易に行えるというメリットがある。
【００３０】
なお、４本のケーブル３は、図４に示すようにケーブル挿通孔６ｅの左側空間に２本、ケーブル挿通孔６ｅの右側空間に２本、収納配置する。
【００３１】
次いで、閉止体７を固定具本体６に装着してケーブル３を本固定する。即ち、閉止体７の閉止部７ｃをケーブル挿通孔６ｅ内に嵌め込むと共に、ガイド部７ｂをスリット６ｆに挿入し、次いで、閉止体７を挿入方向１０にスライドさせる。このとき、操作部７ａを手で把持すれば、閉止体７の挿入操作が容易である。そして、閉止体７が固定具本体６に押し込まれると、閉止部７ｃの側面が仮固定されていたケーブル３を側方に押圧する。即ち、図４における左側空間に収納されている２本のケーブル３は左側に押圧され、図４における右側空間に収納されている２本のケーブル３は右側に押圧される。これにより、ケーブル３が強固に固定されることになる。そして、閉止体７が固定具本体６に装着されると、ケーブル３は仮固定から本固定されることになる。
【００３２】
こうして、本発明に係るケーブル固定具２を使用することにより、従来例のように各ケーブル固定具毎にケーブルを挿通孔に挿通する作業がなくなり、作業性の向上を図ることができる。また、閉止部７ｃによってケーブル３を押圧するように構成されているため、ケーブル３の固定力の向上を図ることができる。
【００３３】
また、固定具本体６は基板５に着脱可能であるため、挿通孔６ｅの大きさの異なる複数種の固定具本体６を準備しておけば、収納するケーブル数の変更等があっても、その変更するケーブル数に応じた固定具本体６を基板５に装着すれば、ケーブルを固定することが可能となり、ケーブル固定具の用途が広がる。
【００３４】
（実施の形態２）
図８は実施の形態２に係るケーブル固定具本体の断面図である。本実施の形態２は、実施の形態１に類似し対応する部分には同一の参照符号を付す。本実施の形態２は、実施の形態１の操作部７ａが省略されているとともに、固定具本体６の下部６ａの幅方向中央部付近には、奥行き方向（図８の紙面に垂直方向）に延びる案内溝２０が形成されており、閉止体７の閉止部７ｃには案内溝２０に嵌り込む凸部２１が形成されている。凸部２１は案内溝２０の全長に亘って延在していてもよく、また、案内溝２０の一部の長さのものであってもよい。
【００３５】
このような構成のケーブル固定具にあっては、案内溝２０に沿って凸部２１がスライド可能であるため、閉止体７を固定具本体６に装着する際の操作が容易である。
【００３６】
（実施の形態３）
図９は実施の形態３に係るケーブル固定具本体の断面図である。本実施の形態３は、実施の形態２に類似し対応する部分には同一の参照符号を付す。本実施の形態３は、実施の形態２のガイド７ｂが省略されている。このような構成のケーブル固定具であっても、ケーブルを固定することが可能である。
【００３７】
（実施の形態４）
図１０は実施の形態４に係るケーブル固定具本体の断面図である。本実施の形態４は、実施の形態１に類似し対応する部分には同一の参照符号を付す。本実施の形態４は、実施の形態１における基板５に代えて、基板３０が用いられる。この基板３０は、一対の係合爪３１ａ，３１ｂを有している。一方、ケーブル固定具本体６の下部６ａには、係合溝６ｇ，６ｈに代えて、前記係合爪３１ａ，３１ｂが係合する係合溝３２が形成されている。このような構成の基板３０を用いても、固定具本体を着脱可能に基板に装着することが可能である。
【００３８】
（実施の形態５）
図１１は実施の形態５に係るケーブル固定具本体の断面図である。本実施の形態５では、ケーブル挿通孔６ｅ内に上下一対の係止突起４０が、左側空間側及右側空間側にそれぞれ配設されている。この係止突起４０により、ケーブル３をケーブル挿通孔６ｅ内に収納する際の仮固定の効果が向上する。また、ケーブル３を係止突起４０を越えて側方に導くと、ロック感が生じるため、仮固定位置に収納できたことを感覚的に知ることができるという効果も奏する。
【００３９】
なお、上記の例では、係止突起４０は上下一対設けられたが、上下何れか一方のみ設けるようにしてもよい。
【００４０】
（その他の事項）
（１）上記実施の形態１〜５では、閉止体７の側面と挿通孔６ｅの側部内壁との間でケーブル３を強固に固定するようにしたが、挿通孔６ｅ内でケーブル３が隙間を保持して緩やかに挿通した状態としてもよく、このようにケーブル３が挿通孔６ｅを緩やかに挿通する状態であっても、ケーブル３をメインパイプ１に固定する意義は十分に果たされている。なお、閉止体７の側面で挿通孔６ｅ内に収納されているケーブル３を挿通孔側部内壁側に押圧してケーブル３を固定するのが、ケーブル固定力強化の観点からは望ましい。
（２）上記実施の形態１〜５では、基板５又は３０を介して固定具本体６をメインパイプ１に固定するようにしたが、固定具本体６をメインパイプ１に直接固定するようにしてもよい。
【００４１】
（３）上記実施の形態１〜５では、ケーブル固定具２はメインパイプ１に設けられていたが、例えばチエーンステーに設けるようにしてもよい。
【００４２】
（４）上記実施の形態では、電動自転車におけるケーブル固定具について説明したが、電動でない自転車やバイクにおけるケーブル固定具にも本発明は好適に実施することができる。
【００４３】
（５）なお、本発明は上記実施の形態１〜５に限定されるものではなく、実施の形態１〜５を適宜組み合わせた構造の固定具であってもよい。
【００４４】
【発明の効果】
以上のように本発明によれば、以下の効果を奏する。
【００４５】
（１）従来例のようにケーブルを挿通孔に順次挿通する必要がなく、固定作業が極めて容易となる。
【００４６】
（２）ケーブルをスリットを介して挿通孔内に引き入れることにより、ケーブルを仮固定することが可能となる。
【００４７】
（３）更に、閉止体を固定具本体の挿通孔内に嵌入することにより、ケーブルを固定するようにしたので、確実にケーブルを固定することが可能となる。
【図面の簡単な説明】
【図１】本発明に係るケーブル固定具を備えた電動自転車の簡略化した構造図である。
【図２】図２は図１の矢符Ａの方向から見たメインパイプの裏側平面図である。
【図３】実施の形態１に係るケーブル固定具の分解斜視図である。
【図４】図２のＸ−Ｘ矢視断面図である。
【図５】メインパイプの下端側から見た実施の形態１に係るケーブル固定具の正面図である。
【図６】図５のＹ−Ｙ矢視断面図である。
【図７】メインパイプの上端側から見た実施の形態１に係るケーブル固定具の背面図である。
【図８】実施の形態２に係るケーブル固定具本体の断面図である。
【図９】実施の形態３に係るケーブル固定具本体の断面図である。
【図１０】実施の形態４に係るケーブル固定具本体の断面図である。
【図１１】実施の形態５に係るケーブル固定具本体の断面図である。
【図１２】従来のケーブル固定具の構造図である。
【符号の説明】
１：  メインパイプ
２：  ケーブル固定具
３：  ケーブル
５：  基板
５ｂ，５ｃ：  係合部
６：  固定具本体
６ｅ：  ケーブル挿通孔
６ｆ：  スリット
６ｇ，６ｈ：  係合溝
６ｉ：  ストッパー
７：  閉止体
７ａ：  操作部
７ｂ：  ガイド部
７ｃ：  閉止部
４０：  係止突起
【図１】
0004472090.tif 000002
【図２】
0004472090.tif 000003
【図３】
0004472090.tif 000004
【図４】
0004472090.tif 000005
【図５】
0004472090.tif 000006
【図６】
0004472090.tif 000007
【図７】
0004472090.tif 000008
【図８】
0004472090.tif 000009
【図９】
0004472090.tif 000010
【図１０】
0004472090.tif 000011
【図１１】
0004472090.tif 000012
【図１２】
0004472090.tif 000013